(57)【要約】【課題】かみそりヘッドの全体を浮動支持する浮動ばねユニットの構造を簡素化し、本体ケースに対する組み付けを簡便に行えるようにする。同時に、弾性アームの左右長さを大きくして、その分だけしなやかで肌面にフィットしやすい浮動ばねユニットを提供する。【解決手段】モーター１６、メイン刃１４、および伝動機構を含むかみそりヘッド９を本体ケース１に設ける。かみそりヘッド９と本体ケース１との間に、かみそりヘッド９の全体を上下浮動および左右傾動可能に支持する浮動ばねユニット４０を設ける。浮動ばねユニット４０は、本体ケース１に固定される左右一対の固定側装着部４１と、かみそりヘッド９の前後面の左右中央に固定される前後一対の可動側装着部４２と、両装着部４１・４２どうしをかみそりヘッド９の前後面のそれぞれで橋絡する弾性アーム４３とを無端枠状に一体成形して構成する。【選択図】図１
2007244440.tif 000002
【特許請求の範囲】
【請求項１】
モーター（１６）、メイン刃（１４）、および伝動機構を含むかみそりヘッド（９）が本体ケース（１）に設けられており、かみそりヘッド（９）と本体ケース（１）との間に、かみそりヘッド（９）の全体を上下浮動および左右傾動可能に支持する浮動ばねユニット（４０）が設けてある電気かみそりであって、
浮動ばねユニット（４０）は、本体ケース（１）に固定される左右一対の固定側装着部（４１）と、かみそりヘッド（９）の前後面の左右中央に固定される前後一対の可動側装着部（４２）と、両装着部（４１・４２）どうしをかみそりヘッド（９）の前後面のそれぞれで橋絡する弾性アーム（４３）とで構成してあることを特徴とする電気かみそり。
【請求項２】
弾性アーム（４３）と固定側装着部（４１）と可動側装着部（４２）とが無端枠状に一体成形してある請求項１記載の電気かみそり。
【請求項３】
弾性アーム（４３）が、固定側装着部（４１）に連続する横方向の主アーム（４９）と、主アーム（４９）と可動側装着部（４２）とを繋ぐ縦方向の縦弾性アーム（５０）とで構成してある請求項１または２記載の電気かみそり。
【請求項４】
前後に配置した主アーム（４９）と固定側装着部（４１）とが横弾性アーム（５１）を介して連続している請求項１、２または３記載の電気かみそり。
【請求項５】
かみそりヘッド（９）と本体ケース（１）との間に、かみそりヘッド（９）を押し上げ付勢する複数個の補助ばね（３９）が配置してある請求項１から４のいずれかに記載の電気かみそり。
【請求項６】
浮動ばねユニット（４０）の固定側装着部（４１）とかみそりヘッド（９）との間に圧縮コイル形の補助ばね（３９）が配置してある請求項５記載の電気かみそり。
【請求項７】
本体ケース（１）が、前ケース（１ａ）および後ケース（１ｂ）と、接合した前後ケース（１ａ・１ｂ）の下面側から外嵌装着される下ケース（１ｃ）を含んで構成されており、
浮動ばねユニット（４０）の固定側装着部（４１）が、前後ケース（１ａ・１ｂ）の内面に設けた係合凹部（８０）に差し込み係合されて、前後ケース（１ａ・１ｂ）で挟持固定されており、
前ケース（１ａ）と後ケース（１ｂ）との接合面の上部どうしが、上下に落とし込み係合する上係合構造（７１）で係合固定されており、
前ケース（１ａ）と後ケース（１ｂ）との接合面の下部どうしが下ケース（１ｃ）で抱持固定されており、
前ケース（１ａ）および後ケース（１ｂ）と下ケース（１ｃ）とが、互いに係合する下係合構造（７２）で係合固定してある請求項１から６のいずれかに記載の電気かみそり。
【請求項８】
下ケース（１ｃ）と前ケース（１ａ）との重合部分に、前ケース（１ａ）を後ケース（１ｂ）へ向かって押圧する押圧構造（７３）が設けられており、
押圧構造（７３）が前ケース（１ａ）に設けた舌片（６０）と、下ケース（１ｃ）に設けた傾斜壁（６９）とで構成してある請求項７記載の電気かみそり。
【請求項９】
上係合構造（７１）と下係合構造（７２）との間に位置する前後ケース（１ａ・１ｂ）の接合縁の中途部に、前後ケース（１ａ・１ｂ）の上下方向の位置ずれを阻止する凹凸接合部（５４）が設けてある請求項７または８記載の電気かみそり。
【請求項１０】
前後一対の可動側装着部（４２）のそれぞれが、かみそりヘッド（９）に対して相対回転不能に固定してある請求項１から９のいずれかに記載の電気かみそり。
【請求項１１】
可動側装着部（４２）がかみそりヘッド（９）に対して相対揺動可能に装着されて、浮動ばねユニット（４０）がかみそりヘッド（９）に対して相対揺動できる請求項１から９のいずれかに記載の電気かみそり。
【請求項１２】
かみそりヘッド（９）に弾性アーム（４３）の相対揺動範囲を一定以下に規制するストッパー（９５）が設けられており、
弾性アーム（４３）が、ストッパー（９５）の規制範囲内では相対揺動でき、ストッパー（９５）に接当した状態では弾性反発力を発揮できる請求項１１記載の電気かみそり。
【発明の詳細な説明】
【技術分野】
【０００１】
本発明は、かみそりヘッドが上下浮動、および左右傾動可能に浮動支持してある電気かみそりに関する。
【背景技術】
【０００２】
本発明における浮動支持構造では、弾性アームとその取付構造とが一体成形してある浮動ばねユニットでかみそりヘッドを浮動支持するが、この種の浮動支持構造は特許文献１、２に公知である。
【０００３】
特許文献１では、横置き配置したモーターとロータリー式の内刃とを左右一対の内刃フレームに組み付け、内刃フレームに対向配置した弾性フレームを本体ケースで支持することにより、モーターから内刃にいたる動力ユニットを浮動支持している。左右の弾性フレームのそれぞれには、上下一対ずつの弾性アームが左右対向状に設けてあり、弾性アームの突端に厚肉の取付座が一体に形成してある。本体ケースは、分割された前ケースと後ケースとで構成されており、前後ケースの内面に対向突設した係合凹部で先の取付座を前後に挟持して、弾性フレームを本体ケースに対して弾性変形可能に支持している。
【０００４】
特許文献２の電気かみそりは、モーターから内刃に至る動力ユニットを上下一対の弾性フレームで浮動支持している。上側の弾性フレームは、角板状のフレーム基部の左右から前後一対ずつの弾性アームを連出して構成してあり、弾性アームの連出どうしを繋ぐ棒状の取付枠を、前後ケースの内面に対向突設したボスで挟み固定している。下側の弾性フレームは、モーターホルダーと一体に形成してあり、前後の弾性アームの連出どうしを繋ぐ棒状の取付枠が、先の取付枠と同様に前後ケースで挟み固定してある。
【０００５】
【特許文献１】特許第２６９６３６１号公報（第３頁左欄２７行、第５図）
【特許文献２】特許第２７２９６５０号公報（第３頁左欄１２行、第１図）
【発明の開示】
【発明が解決しようとする課題】
【０００６】
特許文献１、２は、いずれもモーターから内刃に至る動力ユニットを、上下一対の弾性フレームで浮動支持する点で共通するが、この種の浮動支持構造は、動力ユニットを上下浮動および左右傾動可能に支持しているに過ぎないため、外刃が肌面に押されて沈み込むときに限って動力ユニットが上下浮動できるものの、外刃や外刃ホルダーは上下浮動も左右傾動もできない。そのため、かみそりヘッドを肌面の変化に追随させることはできない。上側４個、下側４個のそれぞれ水平方向の弾性アームで動力ユニットを浮動支持するので、動力ユニットが左右傾動するとき各弾性アームどうしが動作干渉しやすく、浮動動作を円滑に行えない。
【０００７】
弾性フレームとは別に、動力ユニットを押し上げ付勢する浮動ばねを設けているが、浮動ばねの一端を本体ケースで受け止めるので、弾性フレームと浮動ばねとを本体ケースに対して同時に組み付ける必要があり、その分だけ組み付けに手間が掛かる。弾性アームに関して、特許文献１では、横置き配置したモーターの上下に弾性アームを配置するので、その分だけ余分な空間を確保する必要があり、かみそりヘッド側の上下寸法が大きくなる。特許文献２では、フレーム基部およびモーターホルダーの左右にそれぞれ弾性アームを突出するので、弾性アームの突出長さが短くなるのを避けられずしなやかさに欠ける。
【０００８】
本発明の目的は、かみそりヘッドの全体を浮動ばねユニットで上下動可能に、しかも左右傾動可能に浮動支持でき、したがってかみそりヘッドを肌面の変化に追随して浮動変位させて、効果的にひげそりを行える電気かみそりを提供することにある。本発明の目的は、従来のこの種の浮動支持構造に比べて構造を簡素化できるうえ、浮動支持構造の本体ケースに対する組み付けを簡便に行える電気かみそりを提供することにある。本発明の目的は、従来のこの種の浮動支持構造に比べて弾性アームの左右長さを大きくすることができ、その分だけしなやかで肌面にフィットしやすい浮動支持構造を備えた電気かみそりを提供することにある。
【課題を解決するための手段】
【０００９】
本発明の電気かみそりは、モーター１６、メイン刃１４、および伝動機構を含むかみそりヘッド９が本体ケース１に設けてある。かみそりヘッド９と本体ケース１との間には、かみそりヘッド９の全体を上下浮動および左右傾動可能に支持する浮動ばねユニット４０が設けてある。浮動ばねユニット４０は、本体ケース１に固定される左右一対の固定側装着部４１と、かみそりヘッド９の前後面の左右中央に固定される前後一対の可動側装着部４２と、両装着部４１・４２どうしをかみそりヘッド９の前後面のそれぞれで橋絡する弾性アーム４３とで構成してある。
【００１０】
弾性アーム４３と固定側装着部４１と可動側装着部４２とは無端枠状に一体成形する。
【００１１】
弾性アーム４３は、固定側装着部４１に連続する横方向の主アーム４９と、主アーム４９と可動側装着部４２とを繋ぐ縦方向の縦弾性アーム５０とで構成する。
【００１２】
前後に配置した主アーム４９と固定側装着部４１とは、横弾性アーム５１を介して連続させる。
【００１３】
かみそりヘッド９と本体ケース１との間に、かみそりヘッド９を押し上げ付勢する複数個の補助ばね３９を配置する。
【００１４】
浮動ばねユニット４０の固定側装着部４１とかみそりヘッド９との間に圧縮コイル形の補助ばね３９を配置する。
【００１５】
本体ケース１は、前ケース１ａおよび後ケース１ｂと、接合した前後ケース１ａ・１ｂの下面側から外嵌装着される下ケース１ｃを含んで構成する。浮動ばねユニット４０の固定側装着部４１は、前後ケース１ａ・１ｂの内面に設けた係合凹部８０に差し込み係合されて、前後ケース１ａ・１ｂで挟持固定する。前ケース１ａと後ケース１ｂとの接合面の上部どうしを、上下に落とし込み係合する上係合構造７１で係合固定する。前ケース１ａと後ケース１ｂとの接合面の下部どうしを下ケース１ｃで抱持固定する。前ケース１ａおよび後ケース１ｂと下ケース１ｃとは、互いに係合する下係合構造７２で係合固定する。
【００１６】
下ケース１ｃと前ケース１ａとの重合部分に、前ケース１ａを後ケース１ｂへ向かって押圧する押圧構造７３を設ける。押圧構造７３は前ケース１ａに設けた舌片６０と、下ケース１ｃに設けた傾斜壁６９とで構成する。
【００１７】
上係合構造７１と下係合構造７２との間に位置する前後ケース１ａ・１ｂの接合縁の中途部に、前後ケース１ａ・１ｂの上下方向の位置ずれを阻止する凹凸接合部５４を設ける。
【００１８】
前後一対の可動側装着部４２のそれぞれを、かみそりヘッド９に対して相対回転不能に固定する。
【００１９】
可動側装着部４２をかみそりヘッド９に対して相対揺動可能に装着する。以て、浮動ばねユニット４０がかみそりヘッド９に対して相対揺動できるようにする。
【００２０】
かみそりヘッド９に弾性アーム４３の相対揺動範囲を一定以下に規制するストッパー９５を設ける。以て、弾性アーム４３は、ストッパー９５の規制範囲内では相対揺動でき、ストッパー９５に接当した状態では弾性反発力を発揮できるようにする。
【発明の効果】
【００２１】
本発明においては、固定側装着部４１と、可動側装着部４２と、これらの装着部４１・４２どうしを橋絡する弾性アーム４３とで浮動ばねユニット４０を構成し、かみそりヘッド９を浮動ばねユニット４０で上下動可能にし、しかも左右傾動可能に浮動支持するので、かみそりヘッド９の全体を肌面の変化に追随させながら変位させることができ、この種の浮動支持構造を備えた従来の電気かみそりに比べて、メイン刃１４を肌面に沿わせて効果的にひげそりを行うことができる。
【００２２】
固定側装着部４１、可動側装着部４２、弾性アーム４３の三者が、かみそりヘッド９の周囲を取り囲むように浮動ばねユニット４０を構成するので、上下一対ずつの弾性アームで動力ユニットを浮動支持する従来の浮動支持構造に比べて、浮動ばねユニット４０の構造を簡素化できるうえ、浮動ばねユニット４０の組み付けに要する手間を軽減でき、その分だけ浮動支持構造を備えた電気かみそりの製造コストを削減できる。
【００２３】
固定側装着部４１を本体ケース１に固定し、可動側装着部４２をかみそりヘッド９の前後面の左右中央に固定するので、本体ケース１内の左右幅のほぼ全幅を利用して弾性アーム４３の左右長さを大きくすることができ、その分だけ弾性アーム４３の弾性をしなやかなものとして、かみそりヘッド９を軽快に浮動変位させて、肌面にフィットさせることができる。かみそりヘッド９が左右傾動するとき、弾性アーム４３が動作干渉に陥ることもない。
【００２４】
弾性アーム４３、固定側装着部４１、可動側装着部４２の三者を無端枠状に一体成形した浮動ばねユニット４０によれば、浮動支持構造の構成部品点数を最小限化して、組み立ての手間を省くことができ、複数個の部品で浮動ばねユニットを構成する場合に比べて、位置精度やばね弾性などのばらつきを抑えて、浮動ばねユニット４０の信頼性を高めることができる。
【００２５】
固定側装着部４１に連続する横方向の主アーム４９と、主アーム４９と可動側装着部４２とを繋ぐ縦方向の縦弾性アーム５０で弾性アーム４３を構成すると、主アーム４９の上下変位あるいは前後変位などに加えて、縦弾性アーム５０が左右方向へ拡開ないしは傾倒変位することで弾性アーム４３に作用する外力を吸収できるので、弾性アーム４３をよりしなやかに弾性変形させて、かみそりヘッド９をさらに軽快に浮動変位させ、肌面にフィットさせることができる。
【００２６】
前後に配置した主アーム４９と固定側装着部４１とを横弾性アーム５１を介して連続させる浮動ばねユニット４０によれば、主アーム４９の弾性変形に加えて、横弾性アーム５１が左右方向へ傾倒変位することで弾性アーム４３に作用する外力を吸収できるので、縦弾性アーム５０を付加したのと同様に、弾性アーム４３の弾性変形動作をよりしなやかなものとして、かみそりヘッド９をさらに軽快に浮動変位させ、肌面にフィットさせることができる。
【００２７】
かみそりヘッド９と本体ケース１との間に複数個の補助ばね３９を配置し、これらの補助ばね３９でかみそりヘッド９を押し上げ付勢すると、かみそりヘッド９が浮動変位するときの外力が、弾性アーム４３や固定側装着部４１、あるいは可動側装着部４２に集中して作用するのを避けながら補助ばね３９で負担でき、長期使用時における弾性アーム４３の弾性力の低下や、長期間ストレスに晒されてクリープ変形することを確実に防止できる。
【００２８】
圧縮コイル形の補助ばね３９を、浮動ばねユニット４０の固定側装着部４１とかみそりヘッド９との間に配置すると、浮動ばねユニット４０を本体ケース１に組む前、あるいは浮動ばねユニット４０を前後ケース１ａ・１ｂのいずれか片方に仮組みした時点で、補助ばね３９を組み付けることができるので、補助ばね３９の組み付けを簡便に行える。
【００２９】
前ケース１ａ、後ケース１ｂ、および下ケース１ｃなどで本体ケース１を構成し、浮動ばねユニット４０の固定側装着部４１を、前後ケース１ａ・１ｂの係合凹部８０に差し込み係合して前後ケース１ａ・１ｂで挟持固定する。そののち、前後ケース１ａ・１ｂの上下を上係合構造７１と下係合構造７２とで係合固定し、さらに、前後ケース１ａ・１ｂの接合面の下部どうしを下ケース１ｃで抱持固定するケース構造によれば、所定の手順に従って各ケース１ａ・１ｂ・１ｃを係合するだけで、浮動ばねユニット４０を正確にしかも強固に組むことができるうえ、各ケース１ａ・１ｂ・１ｃをお互いが補強し合う状態で一体化して本体ケース１の構造強度を向上できる。
【００３０】
前ケース１ａに設けた舌片６０と、下ケース１ｃに設けた傾斜壁６９とで押圧構造７３を構成し、下ケース１ｃを前後ケース１ａ・１ｂに組み付けた状態において、傾斜壁６９が舌片６０を押圧し、以て前ケース１ａを後ケース１ｂへ向かって押し付けるようにしたケース構造によれば、前後に分割された前後ケース１ａ・１ｂの接合縁をぴったりと密着させて、両ケース１ａ・１ｂを強固に固定できる。
【００３１】
上係合構造７１と下係合構造７２との間に位置する前後ケース１ａ・１ｂの接合縁の中途部に凹凸接合部５４を設けると、前後ケース１ａ・１ｂが上下方向へ位置ずれしようとするのを凹凸接合部５４で受け止めて阻止できるので、前後ケース１ａ・１ｂで挟持した浮動ばねユニット４０の組み付け姿勢を常に適正な状態に維持できる。凹凸接合部５４によって前後ケース１ａ・１ｂを互いに補強しあうことができるので、その分だけ本体ケース１の構造強度を増強できる利点もある。
【００３２】
前後一対の可動側装着部４２のそれぞれを、かみそりヘッド９に対して相対回転不能に固定すると、弾性アーム４３の両端が固定側装着部４１と可動側装着部４２とによって両持ち支持されるので、弾性アーム４３が弾性変形するときの反発力を大きくでき、その分だけ浮動ばねユニット４０をコンパクト化し、あるいは弾性アーム４３の弾性力を向上できる。
【００３３】
可動側装着部４２をかみそりヘッド９に対して相対揺動可能に装着すると、かみそりヘッド９が左右傾動するときの弾性アーム４３による反発が殆どないので、かみそりヘッド９の左右傾動変位を円滑に、しかも肌面の変化に敏感に反応した状態で行え、柔らかなフィット感の許でひげを剃ることができる。
【００３４】
かみそりヘッド９に弾性アーム４３の相対揺動範囲を一定以下に規制するストッパー９５を設けると、弾性アーム４３は、ストッパー９５の規制範囲内では自由に相対揺動でき、ストッパー９５に接当したのちは弾性反発力を発揮発揮してかみそりヘッド９の傾動に反発する。したがって、かみそりヘッド９の左右傾動を一定の角度範囲では敏感なものとしながら、一定の角度範囲を越えると急激に反発力を増加させて、かみそりヘッド９が過剰に傾動操作されるのを規制でき、機能が拡大された浮動支持構造とすることができる。
【発明を実施するための最良の形態】
【００３５】
（実施例）  図１ないし図１２は本発明に係る電気かみそりの実施例を示す。図２ないし図４において、電気かみそりは本体ケース１と、本体ケース１に組み付けられる作動ユニット２と、ケース後面に組み付けられるトリマーユニット３などで構成する。本体ケース１は、前後に二分割した前ケース１ａおよび後ケース１ｂと、これら前後ケース１ａ・１ｂに下方から外嵌装着される下ケース１ｃとで構成してあり、その内部にハウジング４が装着固定される。前ケース１ａの前面上下には、モーター起動用のスイッチノブ５と、電気かみそりの運転状態を表示する表示灯６が設けてある。
【００３６】
図４に示すように、作動ユニット２は、その下半側を占める電装品部８と、電装品部８の上部に設けられるかみそりヘッド９とで構成してある。電装品部８は、電池枠に回路基板１０と２次電池１１を組み付けて構成してあり、全体が先のハウジング４内に収容してある。回路基板１０には、スイッチノブ５で切り換え操作されるスイッチや、制御回路を構成する電子部品、および表示灯６用の光源となるＬＥＤなどが実装してある。電装品部８とかみそりヘッド９との間は、防水と防塵をかねるパッキン１２でシールしてあるが、パッキン１２によってかみそりヘッド９の浮動動作が阻害されることはない。
【００３７】
かみそりヘッド９は、前後一対のメイン刃１４と、メイン刃１４の間に配置されて主に長毛を切断するセンター刃１５と、両刃１４・１５の駆動源となるモーター１６と、モーター動力をメイン刃１４やセンター刃１５などに伝動する駆動機構と、これらの部材を収容するモーターホルダー１７およびヘッドケース１８と、ヘッドケース１８に装着される外刃ホルダー１９などで構成する。図３に示すように、かみそりヘッド９の中心軸線は、本体ケース１の中心軸線に対して前傾させてある。
【００３８】
図１に示すように、モーター１６の回転動力は、その出力軸に固定した上下の偏心カム２０と、前後一対の振動子２１とで往復動力に変換され、各振動子２１の上部に設けた駆動軸２２を介してメイン刃１４へと伝動される。偏心カム２０と振動子２１とは、それぞれロッド２３で連結してある。図６に示すようにケース前方に位置する駆動軸２２には、センター刃１５を駆動するための駆動ピース２６が固定してあり、ケース後方に位置する駆動軸２２には、トリマーユニット３の切断刃２７を駆動する駆動ピース２８が固定してある。
【００３９】
メイン刃１４は、断面が逆Ｕ字状のスリット刃からなる内刃１４ａと、網刃からなる外刃１４ｂとで構成する。外刃１４ｂは先の外刃ホルダー１９で逆Ｕ字状に保持される。内刃１４ａを外刃１４ｂに密着させるために、駆動軸２２の内部には圧縮ばね２４（図１参照）が配置してある。センター刃１５はいずれもスリット刃からなる内センター刃１５ａ、および外センター刃１５ｂで構成してある（図６参照）。
【００４０】
モーターホルダー１７は、下向きに開口する下筒部３０と、上向きに開口する角箱状のケース部３１とを一体に備えたプラスチック成形品からなる。ケース部３１の両側は、下筒部３０よりも外側方へ張り出してあり、張り出し部分の底壁に補助ばね３９を掛止するピン３５が形成してある（図１参照）。下筒部３０にはモーター１６が差し込み装填されて、モーターホルダー１７内の区分壁３２にビスで締結固定してある。ケース部３１には、偏心カム２０、振動子２１、およびロッド２３が収容される。
【００４１】
ヘッドケース１８をケース部３１の上部に外嵌装着し、ヘッドケース１８とその上面に配置したカバー１０１とをビス３３で締結することにより、ケース部３１の内部空間が封止される。ヘッドケース１８と駆動軸２２との間の隙間はパッキン３４でシールされ、ビス３３用の挿通穴はシールリング１０２でシールしてある。さらに、ヘッドケース１８とケース部３１との嵌合面がシールリング１０３でシールしてある。このように、ケース部３１の内部空間を封止することにより、毛屑や水がケース部３１に入り込むのを防止できるうえ、振動子２１の振動騒音が外部に漏れ出るのを確実に防止し、電気かみそりを静音化できる。
【００４２】
ヘッドケース１８の上部に外嵌装着した外刃ホルダー１９を分離不能にロック保持するために、ヘッドケース１８の左右両側にロックボタン３６と、ロックボタン３６をロック付勢する圧縮コイル形のばね３７とが組み込んである。ロックボタン３６には、外刃ホルダー１９と係合するロック爪が一体に設けてある。ロックボタン３６をばね３７の弾性に抗して押し込むと、ロック爪と外刃ホルダー１９との係合状態が解除されるので、外刃ホルダー１９をヘッドケース１８から取り外すことができる。
【００４３】
かみそりヘッド９を上下浮動可能に、しかも左右傾動と前後傾動も可能に支持するために、かみそりヘッド９と本体ケース１との間に浮動ばねユニット４０と、かみそりヘッド９を押し上げ付勢する２個の補助ばね３９を設けている。補助ばね３９は圧縮コイルばねからなり、後述する弾性アーム４３の弾性力に比べて、より大きな弾性力を発揮できるように設定してある。
【００４４】
図８に示すように、浮動ばねユニット４０は、左右一対の固定側装着部４１と、固定側装着部４１より上方に配置される前後一対の可動側装着部４２と、両装着部４１・４２どうしを橋絡する４個の弾性アーム４３とを一体に備えた、無端枠状のプラスチック成形品からなり、例えばポリアセタールやポリプロピレンなどの靭性に優れたプラスチック材で形成してある。
【００４５】
固定側装着部４１は、側面から見て凹字状の板壁として形成してあり、その外側面の前後に五角形状の規制突起４４が形成され、板壁の中央部分の外側面にばね受座４５が突設してある。ばね受座４５には、補助ばね３９のずれ動きを規制するピン４６が突設してある。可動側装着部４２は横長長方形状の板壁からなり、その下面中央に掛止凹部４７が切り欠き形成してある。
【００４６】
弾性アーム４３は、固定側装着部４１の前後端に連続する横方向の主アーム４９と、主アーム４９と可動側装着部４２とを繋ぐ縦方向の縦弾性アーム５０とで構成する。図７に示すように前後の主アーム４９と固定側装着部４１とは、固定側装着部４１へ向かって先すぼまり状に傾斜する横弾性アーム５１を介して連続している。
【００４７】
ひげそり時の操作性を向上するために、本体ケース１の左右両側に花弁状のくびれ部分５５が凹み形成してある。くびれ部分５５はスイッチノブ５とほぼ同じ高さに設けられており、全体が前ケース１ａと一体に成形され、くびれ部分５５の後半縁を受け入れる凹部５６が後ケース１ｂの側に形成してある（図３、４参照）。くびれ部分５５と凹部５６とは、組み付け状態における前後ケース１ａ・１ｂが、上下方向へずれ動くのを阻止するための凹凸接合部５４として機能する。
【００４８】
図４に示すように、前ケース１ａの上下中途部の両側には重合壁５７が段落ち状に張り出してあり、重合壁５７の上部寄りに縦長の係合穴５８が形成してある。重合壁５７の張り出し基端に沿って上下方向に延びる段部５９は、下ケース１ｃを前後ケース１ａ・１ｂに組むときのガイド体として機能する。前ケース１ａの下端には、横断面がコ字状の舌片６０が重合壁５７と同様に段落ち状に突設してある。後ケース１ｂの下半部分にも、先の重合壁５７と同様の重合壁６２が樋状に形成してある。後ケース１ｂの重合壁６２の後側左右には縦長のガイド凹部６３が形成され、ガイド凹部６３の上端に係合穴６４が形成してある。
【００４９】
下ケース１ｃは、前後壁のそれぞれがＵ字状にえぐられた鞘状のプラスチック成形品からなり、前開口縁の上部寄りに、前ケース１ａの係合穴５８と係合する係合爪６６がＬ字上に突設してある。さらに、ケース内面の後部両側に、ガイド凹部６３で差し込み案内されるリブ６７を形成し、その上端をケース上縁から突出させて係合突起６８としている。前開口縁の下端内面には、前ケース１ａの舌片６０に対応して傾斜壁６９が形成してある。図９に示すように、下ケース１ｃを前後ケース１ａ・１ｂに組み付けた状態においては、傾斜壁６９が舌片６０を後ケース１ｂへ向かって押圧するので、前後ケース１ａ・１ｂの接合縁どうしをぴったりと密着させることができる。
【００５０】
接合した状態における前ケース１ａと後ケース１ｂとは、両者の接合面の上端に設けた上係合構造７１で係合固定され、同時に接合面の下部側が前後ケース１ａ・１ｂと下ケース１ｃとの間に設けた下係合構造７２で係合固定され、さらに、重合壁５７・６２に密着外嵌する下ケース１ｃで抱持固定され、舌片６０と傾斜壁６９とで構成される押圧構造７３で密着保持される。上係合構造７１と下係合構造７２との間に位置する前後ケース１ａ・１ｂの接合縁の中途部に、先の凹凸接合部５４が形成してある。
【００５１】
図９に示すように、上係合構造７１は、前ケース１ａの接合縁の上端左右に突設した係合爪７５と、後ケース１ｂの接合縁の上端左右に設けた係合凹部７６とで構成する。図９に示すように、係合爪７５と係合凹部７６とは上下に落とし込み係合して係合状態を維持する。下係合構造７２は、先に説明した前後ケース１ａ・１ｂの係合穴５８・６４と、下ケース１ｃに設けた係合爪６６および係合突起６８とで構成する。
【００５２】
浮動ばねユニット４０は、固定側装着部４１を本体ケース１に組み付け、可動側装着部４２をかみそりヘッド９に組み付ける。そのために、図６および７に示すように前後ケース１ａ・１ｂの内面左右に、それぞれ固定側装着部４１を差し込み係合するための係合凹部８０を形成している。さらに、図１０に示すようにモーターホルダー１７の下筒部３０の前後面に、可動側装着部４２と係合するコ字状の受枠８１と、掛止凹部４７を溶着固定するための角柱状の溶着ピン８２を設けている。係合凹部８０は縦断面がコ字状の溝枠で形成してあり、固定側装着部４１が溝内に嵌まり込む。図６に示すように、係合凹部８０の外側壁には、固定側装着部４１の規制突起４４と係合して、固定側装着部４１の上下遊動を規制する保持溝８４が切り欠き形成してある。
【００５３】
浮動ばねユニット４０は、可動側装着部４２をモーターホルダー１７に固定した状態で前後ケース１ａ・１ｂに組み込む。詳しくは、図１０に示すように、可動側装着部４２の上部を受枠８１に嵌め込み、掛止凹部４７を溶着ピン８２に係止した状態で、溶着ピン８２を溶融変形させて可動側装着部４２を分離不能にかしめ固定する。溶着ピン８２の溶融変形された部分を符号８３で示す。この状態で補助ばね３９をばね受座４５とモーターホルダー１７のピン３５との間に組み込む。
【００５４】
次に、左右の固定側装着部４１を前ケース１ａの係合凹部８０の溝内に差し込んで、規制突起４４を保持溝８４に係合する。この後、後ケース１ｂを前ケース１ａに組むが、まず係合凹部７６を係合爪７５に嵌め込み、両者７５・７６の係合部分を支点にして後ケース１ｂの下半側を前ケース１ａへ向かって接近させ、くびれ部分５５を後ケース１ｂの凹部５６内に嵌め込む。次に、前後ケース１ａ・１ｂの重合壁５７・６２に沿って、下方から上方へ向かって下ケース１ｃを差し込み、係合爪６６および係合突起６８を係合穴５８・６４に係合して、前後ケース１ａ・１ｂと下ケース１ｃとの三者を一体化する。最後に、下ケース１ｃの底壁をハウジング４にビスで締結して組み立てを完了する。
【００５５】
以上のように構成した電気かみそりによれば、使用状態においてかみそりヘッド９を上下動可能に浮動支持でき、さらに左右傾動、および前後傾動可能に浮動支持できるので、かみそりヘッド９を肌面の変化に追随させながら変位させて、効果的にひげそりを行うことができる。従来のこの種の浮動支持構造に比べて、浮動ばねユニット４０自体の構造と、本体ケース１に対する組み付けの手間とを簡素化できるので、その分だけ電気かみそりの製造コストを削減できる。
【００５６】
左右一対の固定側装着部４１と、前後一対の可動側装着部４２と、両装着部４１・４２どうしを橋絡する４個の弾性アーム４３とで浮動ばねユニット４０を構成するので、従来のこの種の浮動支持構造に比べて、弾性アーム４３の左右長さを大きく採ることができ、その分だけ弾性アーム４３のしなやかさを向上できる。したがって、メイン刃１４を肌面にフィットさせながら、かみそりヘッド９を肌面の変化に追随して浮動変位できることとなる。
【００５７】
浮動ばねユニット４０の可動側装着部４２は、かみそりヘッド９の重心または重心近傍に設けてある。そのため、浮動ばねユニット４０が重心から外れた位置に設けてある場合に避けられない、かみそりヘッド９の重力のモーメントによる傾動変位を防止でき、中立姿勢を常に保持しながら、外力による傾動モーメントに迅速に反応して姿勢を変更できる、換言すると傾きやすいにもかかわらず、中立位置へ戻しやすい素直な電気かみそりが得られる。
【００５８】
ここで、メイン刃１４およびセンター刃１５に独自の浮動動作と、かみそりヘッド９を浮動支持する浮動支持構造との関係を説明する。図１１（ａ）に示すようにメイン刃１４の外刃１４ｂは、カセット枠１１０と、カセット枠１１０で保形される網刃１１１とで構成してあり、カセット枠１１０の左右が、外刃ホルダー１９の内ケース１９ａで、左右傾動および上下動可能に案内支持されて、外刃１４ｂの全体が内ケース１９ａに設けた弾性アーム１１２で押し上げ付勢してある。これにより、メイン刃１４の全体は、内ケース１９ａで移動規制される上端の待機位置と、待機位置より沈み込んだ浮動位置との間を上下動し、あるいは左右傾動できる。なお、駆動軸２２に設けた圧縮ばね２４は、内刃１４ａを外刃１４ｂに密着させるために設けられている。
【００５９】
同様に、センター刃１５の外センター刃１５ｂは、図１１（ｂ）に示すように両端に固定した側端ピース１１４が、刃ホルダー１９の内ケース１９ａで、左右傾動および上下動可能に案内支持されて、センター刃１５の全体が左右一対の圧縮コイル形のばね１１５で押し上げ付勢されている。これにより、センター刃１５の全体は、内ケース１９ａで移動規制される上端の待機位置と、待機位置より沈み込んだ浮動位置との間を上下動し、あるいは左右傾動できる。なお、内センター刃１５ａと側端ピース１１４との間には、内センター刃１５ａを外センター刃１５ｂに押し付け付勢するためのばねが設けられる（図示していない）が、このばねは後述する反発力Ｘ３とは無関係である。
【００６０】
使用状態において、前後一対の外刃１４ｂが肌面に押し付けられるときの、弾性アーム１１２および前後の圧縮ばね２４による反発力をＸ１、Ｘ２とし、外センター刃１５ｂが肌面に押し付けられるときのばね１１５による反発力をＸ３とするときの反発力の合計値は、かみそりヘッド９の全体の反発力Ｙより小さい。即ち、Ｘ１＋Ｘ２＋Ｘ３＜Ｙとなる。なお、かみそりヘッド９全体の反発力Ｙは、補助ばね３９の反発力と弾性アーム４３の反発力との合計値である。
【００６１】
上記のようにばね力が設定してあると、メイン刃１４やセンター刃１５が肌面に押し付けられた状態においては、まずメイン刃１４やセンター刃１５が、各ばね２４・２４・１１５の反発力に抗して沈み込み、これらのばね２４・２４・１１５の反発力が、浮動支持構造の反発力Ｙを越えた時点で、かみそりヘッド９が上下動し、あるいは左右傾動することとなる。このように、かみそりヘッド９に比べて質量が小さく、したがって運動慣性力が小さなメイン刃１４やセンター刃１５を、かみそりヘッド９の浮動動作に先行して浮動変位させると、肌面の変化やひげ切断面の傾きなどに対応して、メイン刃１４やセンター刃１５を追随させることができ、したがってひげ切断を効果的に行うことができる。
【００６２】
図１２に示すように、メイン刃１４の最大沈み込み量をＥ１とし、かみそりヘッド９全体の最大沈み込み量をＥ２とするとき、前者寸法Ｅ１は３mm、後者寸法Ｅ２は４mmに設定してある。このようにかみそりヘッド９の沈み込み量がメイン刃１４の沈み込み量より大きく設定してあると、メイン刃１４が肌面に対して強い力で押し付けられような場合であっても、押し付け外力をメイン刃１４の浮動動作で緩衝し、さらにかみそりヘッド９の浮動動作によって緩和吸収できるので、かみそりヘッド９がいきなり沈み込み限界位置まで押し込まれるのを防止しながら、浮動支持構造による反発力が肌面に対して衝撃的に作用するのを解消でき、使用者に不快感を与えるのを解消できる。
【００６３】
図１３ないし図１６は、浮動ばねユニット４０の取付構造を変更した別実施例を示す。図１３においては、可動側装着部４２に角軸状の装着軸８８を一体に設け、装着軸８８をモーターホルダー１７に形成した角穴からなる軸受穴８９に差し込み係合することにより、浮動ばねユニット４０をモーターホルダー１７と一体化した。
【００６４】
このように、装着軸８８と軸受穴８９との係合関係によって可動側装着部４２をモーターホルダー１７に固定すると、全ての浮動動作に対応して弾性アーム４３が反発力をできる構造としながら、溶着工程を省くことができる。他は先の実施例と同じであるので、同じ部材に同じ符号を付してその説明を省略する。以下の実施例においても同様に扱う。
【００６５】
図１４においては、モーターホルダー１７の側に設けた支軸９１で、可動側装着部４２に設けたボス９２を相対回転自在に軸支した。この装着構造では、かみそりヘッド９が左右傾動するとき、弾性アーム４３は殆ど弾性変形せず、補助ばね３９が撓み変形して傾動動作を吸収する点が先の実施例と異なる。支軸９１の突端は溶融変形されて、可動側装着部４２を抜止め保持している。このように、可動側装着部４２のボス９２を相対回転自在に軸支すると、かみそりヘッド９が左右傾動するときの弾性アーム４３による反発が殆どないので、かみそりヘッド９の左右傾動変位を円滑に、しかも肌面の変化に敏感に反応した状態で行える。
【００６６】
図１５に示す装着構造においては、可動側装着部４２と一体に形成した支軸９４をモーターホルダー１７で相対回転自在に軸支したうえで、弾性アーム４３が自由に相対揺動できる範囲を規制するストッパー９５を、支軸９４を左右に挟んで上下一対ずつ設けるようにした。このように、半拘束構造の浮動ばねユニット４０によれば、弾性アーム４３はストッパー９５の規制範囲内では自由に相対揺動できるが、弾性アーム４３がストッパーに接当したのちは、弾性反発力を発揮してかみそりヘッド９の傾動に反発する。したがって、かみそりヘッド９の左右傾動を一定の角度範囲では敏感なものとしながら、一定の角度範囲を越えると急激に反発力を増加させて、かみそりヘッド９が過剰に傾動操作されるのを規制できる。
【００６７】
図１６は、固定側装着部４１を本体ケース１の内部に固定したハウジング４で支持する構造とした。詳しくは、係合凹部８０をハウジング４の上部内面に設け、この係合凹部８０に固定側装着部４１を差し込み係合できるようにした。さらに、上下に離れた固定側装着部４１と可動側装着部４２とを斜めの弾性アーム４３で橋絡する構造とした。補助ばね３９は本体ケース１の内面に設けたばね座９７とケース部３１との間に配置した。
【００６８】
上記の実施例以外に、凹凸接合部５４は連続山形、波型などの凹凸構造とすることができる。浮動ばねユニット４０は複数個の部品で構成することができ、例えば弾性アーム４３を金属ばねで形成し、これにそれぞれプラスチック成形された固定側装着部４１と可動側装着部４２を固定して、浮動ばねユニット４０とすることができる。押圧構造７３の舌片６０は前ケース１ａの下部１箇所に設ける必要はなく、複数箇所に設けることができる。
【００６９】
固定側装着部４１は、１個の板壁で形成する必要はなく、前後に二分割された板壁で形成することができ、その場合には浮動ばねユニット４０を前後一対の部品で構成することとなる。同様に、可動側装着部４２は左右に分割形成することができる。本発明は、横軸回りに回転駆動される内刃を備えたロータリー式の電気かみそりや、縦軸回りに回転駆動される内刃を備えた回転式の電気かみそりにも適用できる。本発明におけるセンター刃１５は、並列配置したメイン刃１４の前後いずれか一側に配置することができる。また、メイン刃１４は前後一対設ける必要はなく、式（Ｘ１＋・・＋Ｘｎ＜Ｙ）を満足できる限り、１個、あるいは３個以上配置することができる。
【図面の簡単な説明】
【００７０】
【図１】かみそりヘッドの縦断正面図である。
【図２】電気かみそりの正面図である。
【図３】電気かみそりの側面図である。
【図４】電気かみそりの分解側面図である。
【図５】本体ケースを破断した電気かみそりの正面図である。
【図６】浮動ばねユニットの装着構造を示す断面図である。
【図７】浮動ばねユニットの装着構造を示す内部平面図である。
【図８】浮動ばねユニットの斜視図である。
【図９】本体ケースの組み付け構造を示す縦断側面図である。
【図１０】浮動ばねユニットの装着構造を示す正面図である。
【図１１】浮動動作を説明する概念構造図である。
【図１２】浮動動作を説明する概念説明図である。
【図１３】浮動ばねユニットの別の装着構造を示す一部破断正面図である。
【図１４】浮動ばねユニットのさらに別の装着構造を示す一部破断正面図である。
【図１５】浮動ばねユニットの別の装着構造を示す一部破断正面図である。
【図１６】浮動ばねユニットの別の実施例を示す一部破断正面図である。
【符号の説明】
【００７１】
１  本体ケース
９  かみそりヘッド
１４  メイン刃
１６  モーター
３９  補助ばね
４０  浮動ばねユニット
４１  固定側装着部
４２  可動側装着部
４３  弾性アーム
【図１】
2007244440.tif 000003
【図２】
2007244440.tif 000004
【図３】
2007244440.tif 000005
【図４】
2007244440.tif 000006
【図５】
2007244440.tif 000007
【図６】
2007244440.tif 000008
【図７】
2007244440.tif 000009
【図８】
2007244440.tif 000010
【図９】
2007244440.tif 000011
【図１０】
2007244440.tif 000012
【図１１】
2007244440.tif 000013
【図１２】
2007244440.tif 000014
【図１３】
2007244440.tif 000015
【図１４】
2007244440.tif 000016
【図１５】
2007244440.tif 000017
【図１６】
2007244440.tif 000018